(57)【要約】【課題】  鉛芯に加わる衝撃を緩和する。【解決手段】  鉛芯ｘを挟持するチャック部４０と、チャック部４０の後端側を支持するとともに後方から挿入される鉛芯ｘをチャック部４０へ導く筒状のチャック支持部材４３と、チャック部４０及びチャック支持部材４３を進退可能に内在する保持筒１０と、チャック支持部材４３に相対し所定量進退するように保持筒１０に係合するとともにチャック支持部材４３へ後方側から鉛芯を供給する芯タンク部６０とを備えたシャープペンシルユニットであって、チャック支持部材４３から芯タンク部６０にわたる範囲の少なくとも一部に、弾性材料から形成されて鉛芯を挿通する緩衝部が設けられている。【選択図】  図１
2020116739.tif 000002
【特許請求の範囲】
【請求項１】
鉛芯を挟持するチャック部と、前記チャック部の後端側を支持するとともに後方から挿入される鉛芯を前記チャック部へ導く筒状のチャック支持部材と、前記チャック部及び前記チャック支持部材を進退可能に内在する保持筒と、前記チャック支持部材に相対し所定量進退するように前記保持筒に係合するとともに前記チャック支持部材へ後方側から鉛芯を供給する芯タンク部とを備え、前記芯タンク部の進退操作により前方へ鉛芯を繰出すようにしたシャープペンシルユニットであって、
前記チャック支持部材から前記芯タンク部にわたる範囲の少なくとも一部に、弾性材料から形成されて鉛芯を挿通する第１の緩衝部が設けられていることを特徴とするシャープペンシルユニット。
【請求項２】
前記第１の緩衝部は、前記チャック支持部材の後端から後方へ離れて、前記芯タンク部の内部に筒状に設けられていることを特徴とする請求項１記載のシャープペンシルユニット。
【請求項３】
前記芯タンク部は、前記保持筒の後端側に進退可能に接続されたスライド筒部と、このスライド筒部に接続されて後方へ延設されたタンク本体部とを具備し、
前記第１の緩衝部は、前記スライド筒部の内部に設けられていることを特徴とする請求項２記載のシャープペンシルユニット。
【請求項４】
前記第１の緩衝部は、前記チャック支持部材の後端側に一体的に設けられていることを特徴とする請求項１記載のシャープペンシルユニット。
【請求項５】
前記チャック支持部材は、前記チャック部の後端側を支持する支持筒部と、前記支持筒部の後側に接続されて前記芯タンク部の進退を案内するガイド筒部とから一体的に構成され、
前記ガイド筒部は、その全体が弾性材料によって形成され、前記第１の緩衝部として機能することを特徴とする請求項１記載のシャープペンシルユニット。
【請求項６】
前記芯タンク部内の後端側に、弾性材料からなる第２の緩衝部が設けられていることを特徴とする請求項１〜５何れか１項記載のシャープペンシルユニット。
【請求項７】
請求項１〜６何れか１項記載のシャープペンシルユニットを具備した出没式筆記具。
【発明の詳細な説明】
【技術分野】
【０００１】
本発明は、シャープペンシル用リフィールやシャープペンシル等を構成するシャープペンシルユニット、及び該シャープペンシルユニットを具備した出没式筆記具に関するものである。
【背景技術】
【０００２】
従来、この種の発明に関連し、例えば特許文献１には、チャック部により挟持した鉛芯を所定の操作により前方へ繰り出す鉛芯繰出し機構と、前記鉛芯繰出し機構を内在するとともに前記チャック部を進退可能に保持する保持筒と、前記鉛芯繰出し機構に対し後方側から鉛芯を供給するとともに前記保持筒に対し所定量進退するように接続された芯タンク部と、保持筒の前端開口部から前方へ突出して進退可能なホルダーと、鉛芯からホルダーに加わる径方向の力によりこのホルダーを保持筒及び鉛芯に相対し前進させる運動方向変換機構とを備えたシャープペンシルユニットが記載されている。そして、このシャープペンシルユニットを軸筒に収容して、容易に出没式筆記具を構成することができる。
この出没式筆記具によれば、鉛芯に対し後方への過剰な押圧力が加わった際に、チャック部を後退させて鉛芯の折れや損傷を防ぐことができる。
【先行技術文献】
【特許文献】
【０００３】
【特許文献１】特開２０１７−１５９５７９号公報
【発明の概要】
【発明が解決しようとする課題】
【０００４】
しかしながら、前記従来技術によれば、チャック部、チャック支持部材及び芯タンク部等が保持筒に相対し進退可能であるため、落下等による衝撃により、鉛芯の損傷や摩耗を生じ易い。また、使用中等に、芯タンク内の予備の鉛芯が前後の部材に当接して「カシャ」という不快な衝撃音を発したりする場合もある。
【課題を解決するための手段】
【０００５】
このような課題に鑑みて、本発明は、以下の構成を具備するものである。
鉛芯を挟持するチャック部と、前記チャック部の後端側を支持するとともに後方から挿入される鉛芯を前記チャック部へ導く筒状のチャック支持部材と、前記チャック部及び前記チャック支持部材を進退可能に内在する保持筒と、前記チャック支持部材に相対し所定量進退するように前記保持筒に係合するとともに前記チャック支持部材へ後方側から鉛芯を供給する芯タンク部とを備え、前記芯タンク部の進退操作により前方へ鉛芯を繰出すようにしたシャープペンシルユニットであって、前記チャック支持部材から前記芯タンク部にわたる範囲の少なくとも一部に、弾性材料から形成されて鉛芯を挿通する第１の緩衝部が設けられていることを特徴とするシャープペンシルユニット。
【発明の効果】
【０００６】
本発明は、以上説明したように構成されているので、チャック支持部材や芯タンク部から鉛芯に加わる衝撃を緩和することができる。
【図面の簡単な説明】
【０００７】
【図１】本発明に係るシャープペンシルユニットの一例を示す縦断面図である。
【図２】同シャープペンシルユニットについて、芯タンク部を前進させた状態を（ａ）〜（ｂ）に順次に示す縦断面図である。
【図３】同シャープペンシルユニットの後端側を示す要部断面図である。
【図４】同シャープペンシルユニットを具備した筆記具の一例を示す内部構造図である。
【図５】本発明に係るシャープペンシルユニットの他例を示す縦断面図である。
【図６】本発明に係るシャープペンシルユニットの他例を示す縦断面図である。
【図７】本発明に係るシャープペンシルユニットの他例を示す縦断面図である。
【発明を実施するための形態】
【０００８】
本実施の形態では、以下の特徴を開示している。
第１の特徴は、鉛芯を挟持するチャック部と、前記チャック部の後端側を支持するとともに後方から挿入される鉛芯を前記チャック部へ導く筒状のチャック支持部材と、前記チャック部及び前記チャック支持部材を進退可能に内在する保持筒と、前記チャック支持部材に相対し所定量進退するように前記保持筒に係合するとともに前記チャック支持部材へ後方側から鉛芯を供給する芯タンク部とを備え、前記芯タンク部の進退操作により前方へ鉛芯を繰出すようにしたシャープペンシルユニットであって、前記チャック支持部材から前記芯タンク部にわたる範囲の少なくとも一部に、弾性材料から形成されて鉛芯を挿通する第１の緩衝部が設けられている（図１〜図３、図５〜図７参照）。
【０００９】
第２に特徴として、前記第１の緩衝部は、前記チャック支持部材の後端から後方へ離れて、前記芯タンク部の内部に筒状に設けられている（図１〜図３、図５〜図７参照）。
【００１０】
第３の特徴として、前記芯タンク部は、前記保持筒の後端側に進退可能に接続されたスライド筒部と、このスライド筒部に接続されて後方へ延設されたタンク本体部とを具備し、前記第１の緩衝部は、前記スライド筒部の内部に設けられている（図１〜図３参照）。
【００１１】
第４の特徴として、前記第１の緩衝部は、前記チャック支持部材の後端側に一体的に設けられている（図５及び図６参照）。
【００１２】
第５の特徴として、前記チャック支持部材は、前記チャック部の後端側を支持する支持筒部と、前記支持筒部の後側に接続されて前記芯タンク部の進退を案内するガイド筒部とから一体的に構成され、前記ガイド筒部は、その全体が弾性材料によって形成され、前記第１の緩衝部として機能する（図６参照）。
【００１３】
第６の特徴は、前記芯タンク部内の後端側に、弾性材料からなる第２の緩衝部が設けられている（図１、図３〜図７参照）。
【００１４】
第７の特徴は、上記シャープペンシルユニットを具備して出没式筆記具を構成した（図４参照）。
【００１５】
＜第１の実施態様＞
次に、上記特徴を有する具体的な実施態様について、図面に基づいて詳細に説明する。本明細書中、軸方向とは、保持筒１０の中心線の延びる方向を意味する。また、「前」とは、前記軸方向の一方側であって鉛芯が繰り出される方向を意味する。また、「後」とは、前記一方側に対する逆方向側を意味する。
【００１６】
図１に示すシャープペンシルユニット１は、チャック部４０及びチャック支持部材４３等を進退可能に内在する保持筒１０と、保持筒１０の前端開口部から突出して鉛芯ｘを挿通するホルダー２０と、ホルダー２０に加わる径方向の力成分により保持筒１０に相対しホルダー２０を前進させる運動方向変換機構Ｍ２と、挟持した鉛芯ｘを繰出してホルダー２０に対し後側から挿通する鉛芯繰出し機構Ｍ１と、保持筒１０の後端側に接続されて鉛芯繰出し機構Ｍ１に対し後側から鉛芯ｘを供給する芯タンク部６０とを具備し、芯タンク部６０の進退操作により保持筒１０前端に支持されたホルダー２０から前方へ鉛芯ｘを繰出す。
【００１７】
保持筒１０は、運動方向変換機構Ｍ２を構成する第１の筒部１１と、この第１の筒部１１の後端側に同芯に接続されて鉛芯繰出し機構Ｍ１を構成する第２の筒部１２及び第３の筒部１３とを具備する。これら第１〜第３の筒部１１，１２，１３は、それぞれ、金属等の硬質材料によって略円筒状に形成される。なお、他例としては、これら複数の筒部１１，１２，１３のうち、その一部または全部を一体の部材とすることが可能である。
【００１８】
第３の筒部１３は、長尺円筒状に形成され、その後端に、径方向内側へ突出する係合部１３ａを有する。この係合部１３ａは、その内向きの突端縁を、後述する芯タンク部６０の凹部６１ｂ内の空間に配置している。
【００１９】
ホルダー２０は、カム斜面２１ａを有するホルダー本体部２１と、ホルダー本体部２１の後側に接続された受け部２２とから一体的に構成され、保持筒１０内で進退可能に支持される。なお、他例としては、ホルダー本体部２１と受け部２２を一体の部材とすることが可能である。
【００２０】
運動方向変換機構Ｍ２は、第１の筒部１１の前端開口部、ホルダー２０のカム斜面２１ａ、ホルダー２０を後方へ付勢するホルダー付勢部材２３等によって構成される。この運動方向変換機構Ｍ２は、挿通される鉛芯ｘを介してホルダー２０に加わる径方向の力成分により、鉛芯ｘ及び保持筒１０等に相対しホルダー２０を前進させ、前記径方向の力成分が除去された際に、ホルダー２０をホルダー付勢部材２３の付勢力によって後退させる。
【００２１】
また、鉛芯繰出し機構Ｍ１は、保持筒１０内に保持されて鉛芯ｘの外周面に弾性的に緩圧接される芯ブレーカ３０と、芯ブレーカ３０よりも後側の保持筒１０内で鉛芯ｘを挟持して進退可能なチャック部４０と、チャック部４０に対し環状に嵌り合うクラッチリング４１と、クラッチリング４１をその後方側から受けるクラッチ受け４２と、チャック部４０の後端側を支持するとともに後方から挿入される鉛芯ｘをチャック部４０へ導く筒状のチャック支持部材４３と、第１〜第３の付勢部材５１〜５３とを備える。
この構成の鉛芯繰出し機構Ｍ１は、芯タンク部６０から伝達される進退運動により、チャック部４０に挟持した鉛芯ｘを繰り出す。また、この鉛芯繰出し機構Ｍ１は、チャック部４０に挟持した鉛芯ｘに予め設定された筆圧よりも強い付勢力が加わった際に、鉛芯ｘと共にチャック部４０、チャック支持部材４３等を後退させる。
【００２２】
チャック支持部材４３は、チャック部４０の後端側を支持する支持筒部４３ａと、支持筒部４３ａの後側に接続されて芯タンク部６０の進退を案内するガイド筒部４３ｂとから一体的に構成され、保持筒１０に相対し進退するように支持される。
【００２３】
なお、鉛芯繰出し機構Ｍ１及び運動方向変換機構Ｍ２の基本構造には、特許文献１のものを適用することが可能である。
【００２４】
芯タンク部６０は、前端部を開口した略筒状に構成され、チャック支持部材４３に相対し所定量進退するように保持筒１０の後端側（図示例によれば第３の筒部１３）に係合している。この芯タンク部６０は、内在する鉛芯ｘを自重等により前方へ繰り出し、鉛芯繰出し機構Ｍ１へ供給する。
詳細に説明すれば、この芯タンク部６０は、保持筒１０の後端側に進退可能に挿通されたスライド筒部６１と、このスライド筒部６１に接続されて後方へ延設された円筒状のタンク本体部６２と、チャック支持部材４３の後端から後方へ離れて設置された第１の緩衝部４４と、タンク本体部６２の後端側に位置する第２の緩衝部４５とを具備している。
【００２５】
スライド筒部６１は、第３の筒部１３の係合部１３ａに挿通されて前後方向へわたる略円筒状に形成される。
このスライド筒部６１の外周部には、保持筒１０の内周面に摺接する第１の摺接部６１ａと、第１の摺接部６１ａよりも後側で径方向内側へ円筒状に凹んだ凹部６１ｂとが設けられる。また、スライド筒部６１の内周部の前端側には、第２の摺接部６１ｃが設けられている。
【００２６】
凹部６１ｂは、その前後方向の長さが、芯タンク部６０の最大の進退ストロークを含むように適宜に設定されている。
詳細に説明すれば、ノック操作等により芯タンク部６０を前進させると、図２（ａ）（ｂ）に示すように、間隔ｗ１を狭めるようにして、スライド筒部６１前端が鍔部４３ｂ１に当接する。さらに、芯タンク部６０が前進すると、この芯タンク部６０とチャック支持部材４３が一体的に前進し（図２（ｃ）参照）、鉛芯繰出し機構Ｍ１から鉛芯ｘが繰出される。
これらの動作により芯タンク部６０が進退する際の最大のストロークを含むように、凹部６１ｂの前後方向の長さが設定されている。
【００２７】
第２の摺接部６１ｃは、鉛芯繰出し機構Ｍ１のガイド筒部４３ｂの後端側外周面に嵌り合う円筒状の面であり、芯タンク部６０が進退する際に、ガイド筒部４３ｂの外周面に摺接する。
【００２８】
タンク本体部６２は、複数本の鉛芯ｘを収納可能な長尺円筒状に形成され、その前端側の外周面を、スライド筒部６１に挿入し着脱可能に嵌合している。
【００２９】
第１の緩衝部４４は、弾性材料（例えば、エラストマー樹脂やゴム等）によって、鉛芯を遊挿可能な円筒状に形成される。この第１の緩衝部４４は、スライド筒部６１前端側の所定位置に、進退不能に固定される。この固定手段は、例えば、嵌合や接着等とすればよい。
この第１の緩衝部４４とガイド筒部４３ｂ後端部との間隔ｗ２（図１及び図２参照）は、ガイド筒部４３ｂの鍔部４３ｂ１とスライド筒部６１前端部との間隔ｗ１に応じて適宜に設定される。
【００３０】
例えば、間隔ｗ２を間隔ｗ１よりも小さくすれば、スライド筒部６１の前端が鍔部４３ｂ１に当接する前に、第１の緩衝部４４がガイド筒部４３ｂの後端に当接して弾性変形するため、そのノック操作時の衝撃や音を緩和することが可能である。
【００３１】
また、第２の緩衝部４５は、弾性材料（例えば、エラストマー樹脂やゴム等）から略円柱状に形成され、タンク本体部６２の後端開口を塞ぐようにして、タンク本体部６２の後端部に装着されている。
この第２の緩衝部４５は、図３に示すように、タンク本体部６２の後端側に挿入され嵌合した嵌入部４５ａと、この嵌入部４５ａの後側に露出して後述する出没式筆記具Ａの駒ａ２に着脱可能に嵌り合う接続部４５ｂとから一体的に構成される。
【００３２】
なお、図示例によれば、タンク本体部６２の後端側内周面に嵌入部４５ａを嵌入したが、他例としては、その凹凸関係を逆にして、タンク本体部６２の後端側外周面に凹状の嵌入部（図示せず）が嵌り合うようにしてもよい。
また、図示例によれば、接続部４５ｂに設けた凹部を、駒ａ２先端の凸部に嵌め合わせたが、他例としては、その凹凸関係を逆にしてもよい。
また、図示例によれば、タンク本体部６２の後端側に緩衝部４５を具備したが、他例としては、出没式筆記具Ａの駒ａ２に予め第２の緩衝部４５が装着されており、この第２の緩衝部４５に対しタンク本体部６２を装着する構成としてもよい。
【００３３】
次に上記構成のシャープペンシルユニット１について、その特徴的な作用効果を詳細に説明する。
上記構成のシャープペンシルユニット１によれば、図１に示すように、鉛芯ｘがチャック部４０から第１の緩衝部４４にわたって挿通されている状態で、例えば強い落下衝撃を受けた場合に、その衝撃に起因して、鉛芯ｘの後端側が折損するようなことを第１の緩衝部４４の弾性によって防ぐことができる。
また、図３に示すように、鉛芯ｘが芯タンク部６０内に収容された状態では、その鉛芯ｘが前後の第１の緩衝部４４及び第２の緩衝部４５に当接する際の衝撃を、第１の緩衝部４４及び第２の緩衝部４５の弾性によって緩和することができ、さらに、その前後の当接による「カシャ」という不快音を低減することができる。
【００３４】
そして、上記構成のシャープペンシルユニット１は、図４に例示するように、多機能出没式筆記具Ａに組み込まれる。
多機能出没式筆記具Ａは、複数の駒ａ２，ａ３を選択的に前進させる操作により、前進した駒ａ２（又はａ３）に接続されたリフィールの前端筆記部を、軸筒ａ１前端から前方へ突出させる。前記リフィールは、図示例によれば、シャープペンシルユニット１又はボールペンリフィール９である。
例えば、開閉機能付きクリップａ６を有する駒ａ２が、コイルスプリングａ４の付勢力に抗して前進操作され、この駒ａ２に接続されたシャープペンシルユニット１（リフィール）の前端筆記部が、軸筒ａ１の前端開口部から前方へ突出すると、駒ａ２が軸筒ａ１内に設けられる係止部ａ５に係止され、この突出状態が維持される。
この突出状態において、クリップａ６を前進させる操作を行えば、シャープペンシルユニット１の前端から鉛芯ｘが繰り出される。
なお、この多機能出没式筆記具Ａには、例えば特開２０１４−１９８４３９号公報に示される基本構造を適用することが可能である。
【００３５】
＜第２の実施態様＞
次に、図５に示す実施態様について説明する。この実施態様は、上記シャープペンシルユニット１に対し、その一部を変更したものであるため、主にその変更部分について詳述し、重複する詳細説明を省略する。
【００３６】
図５に示すシャープペンシルユニット２は、上記シャープペンシルユニット１に対し、チャック支持部材４３のガイド筒部４３ｂをガイド筒部４３ｂ’に置換し、第１の緩衝部４４をガイド筒部４３ｂ’内の第１の緩衝部４４’に置換したものである。
【００３７】
ガイド筒部４３ｂ’は、後端側に、第１の緩衝部４４’を嵌合するための凹部４３ｂ２を設けたものである。凹部４３ｂ２は、後方を開口した円筒状の空間を形成している。
【００３８】
第１の緩衝部４４’は、弾性材料（例えば、エラストマー樹脂やゴム等）によって、ガイド筒部４３ｂ’に嵌り合い且つ鉛芯ｘを遊挿可能な円筒状に形成される。
この第１の緩衝部４４’は、ガイド筒部４３ｂ’に嵌り合って、チャック支持部材４３の後端側に一体的に構成される。このガイド筒部４３ｂ’を固定する手段は、例えば、嵌合や接着等とすればよい。
【００３９】
よって、図５に示すシャープペンシルユニット２によれば、鉛芯ｘがチャック支持部材４３に当接する際の衝撃を、第１の緩衝部４４’の弾性によって緩和することができ、ひいては、鉛芯ｘの損傷や、摩耗、衝撃音等を防ぐことができる。
【００４０】
＜第３の実施態様＞
図６に示すシャープペンシルユニット３は、上記シャープペンシルユニット１に対し、チャック支持部材４３のガイド筒部４３ｂを、第１の緩衝部として機能するガイド筒部４３ｂ”に置換し、第１の緩衝部４４を省いたものである。
【００４１】
ガイド筒部４３ｂ”は、弾性材料（例えば、エラストマー樹脂やゴム等）によって、その全体を、上記ガイド筒部４３ｂと同形状に形成したものである。
【００４２】
よって、図６に示すシャープペンシルユニット３によれば、鉛芯ｘがチャック支持部材４３に当接する際の衝撃を、ガイド筒部４３ｂ”の弾性によって緩和することができ、ひいては、鉛芯ｘの損傷や、摩耗、衝撃音等を防ぐことができる。
【００４３】
＜第４の実施態様＞
図７に示すシャープペンシルユニット４は、上記シャープペンシルユニット１に対し、第１の緩衝部４４が設けられる位置を、スライド筒部６１内からタンク本体部６２内に変更したものである。
このシャープペンシルユニット４によっても、タンク本体部６２内で鉛芯ｘが前後の部材に当接する際の衝撃を、第１の緩衝部４４及び第２の緩衝部４５によって緩和することができ、ひいては、鉛芯ｘの損傷や、摩耗、衝撃音等を防ぐことができる。
【００４４】
なお、上記実施態様によれば、上記構成の第１の緩衝部をタンク本体部６２の前端側やチャック支持部材４３の後端側に設けたが、この第１の緩衝部は、チャック支持部材から芯タンク部にわたる範囲の少なくとも一部に設ければよく、図示例以外の他例としては、タンク本体部６２の前後方向の中央側に上記第１の緩衝部を設けた態様や、上記第１の緩衝部を前記範囲内で複数設けた態様等とすることも可能である。
【００４５】
また、図示例によれば、第２の緩衝部４５を一体の部材により構成したが、他例としては、この第２の緩衝部４５を複数の部材から構成することも可能である。
【００４６】
本発明は上述した実施態様に限定されず、本発明の要旨を変更しない範囲で適宜変更可能である。
【符号の説明】
【００４７】
１，２，３，４：シャープペンシルユニット
４０：チャック部
４３：チャック支持部材
４３ａ：支持筒部
４３ｂ，４３ｂ’：ガイド筒部
４３ｂ”：ガイド筒部（第１の緩衝部）
４４，４４’：第１の緩衝部
４５：第２の緩衝部
６０：芯タンク部
６１：スライド筒部
６２：タンク本体部
ｘ：鉛芯
Ａ：多機能出没式筆記具
Ｍ１：鉛芯繰出し機構
Ｍ２：運動方向変換機構
【図１】
2020116739.tif 000003
【図２】
2020116739.tif 000004
【図３】
2020116739.tif 000005
【図４】
2020116739.tif 000006
【図５】
2020116739.tif 000007
【図６】
2020116739.tif 000008
【図７】
2020116739.tif 000009